(57)【要約】【課題】操作部材の機能設定を効率的に行うこと。【解決手段】電子機器は、複数の操作部材１０１と、所定の複数の機能の中からユーザにより選択された機能を、複数の操作部材の中からユーザにより選択された操作部材１０１が操作されたときに実行する機能として設定する設定手段１０４と、ユーザにより選択された機能または当該機能に抵触する機能が、複数の操作部材１０１のうち、ユーザにより選択された操作部材１０１以外の他の操作部材１０１に設定されている場合、その旨を報知する報知手段１０４と、を備える。【選択図】図１
2013200364.tif 000002
【特許請求の範囲】
【請求項１】
複数の操作部材と、
所定の複数の機能の中からユーザにより選択された機能を、前記複数の操作部材の中からユーザにより選択された操作部材が操作されたときに実行する機能として設定する設定手段と、
前記ユーザにより選択された機能または当該機能に抵触する機能が、前記複数の操作部材のうち、前記ユーザにより選択された操作部材以外の他の操作部材に設定されている場合、その旨を報知する報知手段と、
を備えることを特徴とする電子機器。
【請求項２】
請求項１に記載の電子機器において、
前記報知手段は、前記ユーザにより選択された機能または当該機能に抵触する機能が設定されている前記他の操作部材を示す情報を表示部に表示させることを特徴とする電子機器。
【請求項３】
請求項２に記載の電子機器において、
前記他の操作部材を示す情報は、前記他の操作部材のリストであることを特徴とする電子機器。
【請求項４】
請求項２に記載の電子機器において、
前記他の操作部材を示す情報は、前記電子機器における前記他の操作部材の位置を示す画像であることを特徴とする電子機器。
【発明の詳細な説明】
【技術分野】
【０００１】
本発明は、電子機器に関する。
【背景技術】
【０００２】
モードによって、ボタンに割り当てる機能を切り替える装置が知られている（特許文献１参照）。
【先行技術文献】
【特許文献】
【０００３】
【特許文献１】特開２００９−７８３７３号公報
【発明の概要】
【発明が解決しようとする課題】
【０００４】
ところで、ボタンに割り当てる機能をユーザが自由に設定できるようにする場合、例えば、ユーザが、複数のボタンの中から一つのボタンを選択し、選択したボタンに設定する機能を種々の機能の中から自由に選択することが考えられる。しかしながら、この場合、同じ機能を複数のボタンに設定してしまったり、互いに抵触する機能を異なるボタンに設定してしまったりする可能性があり、ボタンの機能設定を効率的に行えない可能性があった。
【課題を解決するための手段】
【０００５】
本発明による電子機器は、複数の操作部材と、所定の複数の機能の中からユーザにより選択された機能を、複数の操作部材の中からユーザにより選択された操作部材が操作されたときに実行する機能として設定する設定手段と、ユーザにより選択された機能または当該機能に抵触する機能が、複数の操作部材のうち、ユーザにより選択された操作部材以外の他の操作部材に設定されている場合、その旨を報知する報知手段と、を備えることを特徴とする。
【発明の効果】
【０００６】
本発明によれば、操作部材の機能設定を効率的に行うことができる。
【図面の簡単な説明】
【０００７】
【図１】本発明の一実施の形態によるデジタルカメラの構成を説明する図である。
【図２】デジタルカメラの正面図である。
【図３】デジタルカメラの背面図である。
【図４】デジタルカメラの上面図である。
【図５】ボタンリスト画面の一例を説明する図である。
【図６】機能リスト画面の一例を説明する図である。
【図７】重複リスト画面の一例を説明する図である。
【図８】抵触リスト画面の一例を説明する図である。
【発明を実施するための形態】
【０００８】
図面を参照して本発明を実施するための第１の実施の形態について説明する。図１は、本実施の形態におけるデジタルカメラの一実施の形態の構成を示すブロック図である。デジタルカメラ１００は、操作部１０１と、撮像レンズ１０２と、撮像素子１０３と、制御装置１０４と、メモリカードスロット１０５と、上面モニタ１０６と、背面モニタ１０７とを備えている。
【０００９】
操作部１０１は、ユーザによって操作される種々の操作部材、例えば、後述する第１〜第６ボタン２０１〜２０６、メニューボタン２１０、マルチセレクタ２１１、電源スイッチ２１２、シャッターボタン２１３などを含む。操作部１０１は、ユーザによって操作されると、この操作に応じた操作信号を制御装置１０４へ出力する。
【００１０】
メモリカードスロット１０５は、記憶媒体としてのメモリカードを挿入するためのスロットである。上面モニタ１０６は、デジタルカメラ１００の上面１１２（図４）に設けられ、例えばシャッタースピードや絞り値などを表示する。背面モニタ１０７は、デジタルカメラ１００の背面１１１（図３）に設けられ、メニュー画面を表示したり、撮影画像を再生表示したりする。
【００１１】
撮像レンズ１０２は、被写体像を撮像素子１０３の撮像面に結像するように配置されている。撮像レンズ１０２は、図１では代表して１枚のレンズで表しているが、実際は複数の光学レンズから構成される。
【００１２】
撮像素子１０３は、例えばＣＭＯＳなどのイメージセンサであり、撮像レンズ１０２により結像した被写体像を撮像して、撮像によって得られた画像信号を制御装置１０４へ出力する。
【００１３】
制御装置１０４は、ＣＰＵ、メモリ、およびその他の周辺回路等により構成され、デジタルカメラ１００全体の制御を行う。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用されたりする。また、フラッシュメモリは、不揮発性のメモリであって、制御装置１０４が実行するプログラムのデータや、プログラム実行時に読み込まれる種々のパラメータなどが記録されている。
【００１４】
制御装置１０４は、撮影モードの場合、撮像素子１０３から出力された画像信号に対して所定の画像処理を行って画像データを生成し、例えばＪＰＥＧなどの所定の方式により圧縮処理を行って、メモリカードスロット１０５に挿入されたメモリカードに記録する。また、制御装置１０４は、再生モードの場合、メモリカードスロット１０５に挿入されているメモリカードに記録された画像を再生して背面モニタ１０７に表示させる。
【００１５】
図２は、デジタルカメラ１００の正面図であり、図３は、デジタルカメラ１００の背面図であり、図４は、デジタルカメラ１００の上面図である。図２に示すように、デジタルカメラ１００の正面１１０には、撮像レンズ１０３が設けられ、撮像レンズ１０３の近傍には、第１ボタン２０１および第２ボタン２０２が設けられている。また、図３に示すように、デジタルカメラ１００の背面１１１には、背面モニタ１０７の左側にメニューボタン２１０およびＯＫボタン２１１が設けられる。また、背面モニタ１０７の右側には、マルチセレクタ２１２、第３ボタン２０３、および第４ボタン２０４が設けられる。さらに、図４に示すように、デジタルカメラ１００の上面１１２には、右肩に設けられた上面モニタ１０６の近傍に、電源スイッチ２１３、シャッターボタン２１４、第５ボタン２０５、第６ボタン２０６、および第７ボタン２０７が設けられる。
【００１６】
本実施形態のデジタルカメラ１００では、第１ボタン２０１〜第７ボタン２０７について、ボタンを押下したときに実行する機能をユーザが自由に設定できるように構成されている。以下、このボタンの機能の設定について詳しく説明する。
【００１７】
制御装置１０４は、メニューボタン２１０が押下されると、メニュー項目を一覧表示するメニュー画面を背面モニタ１０７に表示させる。そして、マルチセレクタ２１２の操作によりボタンの機能設定メニューが選択されてＯＫボタン２１１が押下されると、制御装置１０４は、図５に示すように、機能を設定するボタンを選択するためのボタンリスト画面３００を背面モニタ１０７に表示させる。このボタンリスト画面３００では、機能を設定可能なボタン（ここでは、第１ボタン２０１〜第７ボタン２０７）の名称を一覧で示すボタンリスト３０１が表示される。
【００１８】
制御装置１０４は、マルチセレクタ２１２の操作により、一覧表示されたボタンの中から一つのボタン（例えば第２ボタン２０２）が選択されてＯＫボタン２１１が押下されると、図６に示すように、ボタンに設定する機能を選択するための機能リスト画面３１０を背面モニタ１０７に表示させる。この機能リスト画面３１０では、ボタンリスト画面３００で選択されたボタン（ここでは第２ボタン２０２）に設定可能な機能の名称を一覧で示す機能リスト３１１が表示される。また、ボタンに設定可能な機能としては、一例として、自動で被写体にピントを合わせる「ＡＦ−ＯＮ」機能、ピントを固定する「ＡＦ−ロック」機能、露出を固定する「ＡＥ−ロック」機能、フラッシュを発光させない「フラッシュ発光禁止」機能、画像を再生する再生モードへ切り替える「再生モード」機能、撮影した画像を削除する「画像削除」機能などが挙げられる。
【００１９】
ここで、制御装置１０４は、マルチセレクタ２１２の操作により、一覧表示された機能の中から一つの機能（例えば「ＡＦ−ＯＮ」）が選択されてＯＫボタン２１１が押下されると、選択された「ＡＦ−ＯＮ」機能が第２ボタン２０２以外の他のボタンに設定されているか否かを判断する。制御装置１０４は、「ＡＦ−ＯＮ」機能が他のボタンに設定されていない場合は、第２ボタン２０２に「ＡＦ−ＯＮ」機能を設定して、ボタンの機能設定を終了する。
【００２０】
一方、制御装置１０４は、「ＡＦ−ＯＮ」機能が第２ボタン２０２以外の他のボタンに設定されている場合は、図７に示すように、ユーザにその旨を報知するための重複リスト画面３２０を背景モニタ１０７に表示させる。この重複リスト画面３２０では、「ＡＦ−ＯＮ」機能が設定されている他のボタン（例えば、第３ボタン２０３および第５ボタン２０５）の名称を一覧で示す重複リスト３２１が表示される。また、重複リスト画面３２０では、ボタンの機能を確定するための「確定」メニュー３２２、および機能リスト画面３１０に戻るための「戻る」メニュー３２３も表示される。
【００２１】
ユーザは、第３ボタン２０３および第５ボタン２０５にも「ＡＦ−ＯＮ」機能が設定されているが、重複して第２ボタン２０２にも「ＡＦ−ＯＮ」機能を設定したい場合には、マルチセレクタ２１２の操作により「確定」メニュー３２２を選択してＯＫボタン２１１を押下する。この場合、制御装置１０４は、第２ボタン２０２に「ＡＦ−ＯＮ」機能を設定する。
【００２２】
また、ユーザは、第２ボタン２０２に設定する機能を「ＡＦ−ＯＮ」以外の機能に変更したい場合には、マルチセレクタ２１２の操作により「戻る」メニュー３２３を選択してＯＫボタン２１１を押下する。この場合、制御装置１０４は、再度、機能リスト画面３１０を背面モニタ１０７に表示させる。これにより、ユーザは、第２ボタン２０２に設定する機能を選び直すことができる。
【００２３】
また、ユーザは、第３ボタン２０３または第５ボタン２０５に設定する機能を「ＡＦ−ＯＮ」以外の機能に変更したい場合には、マルチセレクタ２１２の操作により重複リスト３２１の「第３ボタン」または「第５ボタン」を選択してＯＫボタン２１１を押下する。この場合、制御装置１０４は、第３ボタン２０３または第５ボタン２０５に設定する機能を選択するための機能リスト画面３１０を背面モニタ１０７に表示させる。これにより、ユーザは、第３ボタン２０３または第５ボタン２０５に設定する機能を変更することができる。
【００２４】
以上説明した第１の実施の形態によれば、次の作用効果が得られる。
（１）デジタルカメラ１００は、第１ボタン２０１〜第７ボタン２０７と、所定の複数の機能の中からユーザにより選択された機能を、第１ボタン２０１〜第７ボタン２０７の中からユーザにより選択されたボタンが操作されたときに実行する機能として設定する制御装置１０４と、ユーザにより選択された機能が、第１ボタン２０１〜第７ボタン２０７のうち、ユーザにより選択されたボタン以外の他のボタンに設定されている場合、その旨を報知する制御装置１０４と、を備える。これにより、ユーザは、選択した機能が、選択したボタン以外の他のボタンに設定されていることを認識できるので、ボタンの機能の設定を効率的に行うことができる。例えば、同じ機能が複数のボタンに設定されないようにすることができ、限られたボタン資源を有効活用することができる。
【００２５】
（２）上記（１）のデジタルカメラ１００において、制御装置１０４は、ユーザにより選択された機能が設定されている他のボタンのリスト（重複リスト３２１）を背面モニタ１０７に表示させるように構成した。これにより、ユーザは、選択した機能が設定されている他のボタンを認識できるので、ボタンの機能の設定を効率的に行うことができる。
【００２６】
（第２の実施の形態）
第２の実施の形態では、ボタンの機能設定の際に表示する画面が第１の実施の形態と異なるため、この点について詳しく説明する。なお、第１の実施の形態と同様の箇所については、説明を省略する。
【００２７】
第２の実施の形態のデジタルカメラ１００において、制御装置１０４は、第１の実施の形態と同様に、ボタンの機能設定の際には、上述したボタンリスト画面３００を背面モニタ１０７に表示させる。そして、制御装置１０４は、一覧表示されたボタンの中から一つのボタン（例えば第２ボタン２０２）が選択されると、上述した機能リスト画面３１０を背面モニタ１０７に表示させる。
【００２８】
ここで、マルチセレクタ２１２の操作により、一覧表示された機能の中から一つの機能（例えば「ＡＦ−ＯＮ」）が選択されてＯＫボタン２１１が押下されると、制御装置１０４は、選択された機能に抵触する機能が第２ボタン２０２以外の他のボタンに設定されているか否かを判断する。ここで、抵触する機能とは、互いに同時に実行することができない機能であり、例えば「ＡＦ−ＯＮ」機能に抵触する機能としては、「ＡＦ−ロック」が挙げられる。互いに抵触する機能が別々のボタンに割り振られると、割り当てられた２つのボタンが同時に操作された場合にバッティングしてしまう。したがって本実施形態では、互いに抵触する機能についてはいずれか一方のみ第１ボタン２０１〜第７ボタン２０７に設定できるものとする。
【００２９】
このとき制御装置１０４は、選択された「ＡＦ−ＯＮ」機能に抵触する「ＡＦ−ロック」機能が他のボタンに設定されていない場合は、第２ボタン２０２に「ＡＦ−ＯＮ」機能を設定して、ボタンの機能設定を終了する。
【００３０】
一方、制御装置１０４は、「ＡＦ−ロック」機能が第２ボタン２０２以外の他のボタン（例えば、第３ボタン２０３および第５ボタン２０５）に設定されている場合は、図８に示すように、ユーザにその旨を報知して設定変更を促すための抵触リスト画面３３０を表示させる。この抵触リスト画面３３０では、「ＡＦ−ロック」機能が設定されている他のボタンの名称を一覧で示す抵触リスト３３１が表示される。また、抵触リスト画面３３０では、機能リスト画面３１０に戻るための「戻る」メニュー３３２も表示される。
【００３１】
ユーザは、第２ボタン２０２に設定する機能を「ＡＦ−ＯＮ」以外の機能に変更したい場合には、マルチセレクタ２１２の操作により「戻る」メニュー３３２を選択してＯＫボタン２１１を押下する。この場合、制御装置１０４は、再度、機能リスト画面３１０を背面モニタ１０７に表示させる。これにより、ユーザは、第２ボタン２０２に設定する機能を選び直すことができる。
【００３２】
また、ユーザは、第３ボタン２０３または第５ボタン２０５に設定する機能を「ＡＦ−ロック」以外の機能に変更したい場合には、マルチセレクタ２１２の操作により抵触リスト３３１の「第３ボタン」または「第５ボタン」を選択してＯＫボタン２１１を押下する。この場合、制御装置１０４は、第３ボタン２０３または第５ボタン２０５に設定する機能を選択するための機能リスト画面３１０を背面モニタ１０７に表示させる。これにより、ユーザは、第３ボタン２０３または第５ボタン２０５に設定する機能を変更することができる。
【００３３】
以上説明した第２の実施の形態によれば、次の作用効果が得られる。
（１）デジタルカメラ１００は、第１ボタン２０１〜第７ボタン２０７と、所定の複数の機能の中からユーザにより選択された機能を、第１ボタン２０１〜第７ボタン２０７の中からユーザにより選択されたボタンが操作されたときに実行する機能として設定する制御装置１０４と、ユーザにより選択された機能と抵触する機能が、第１ボタン２０１〜第７ボタン２０７のうち、ユーザにより選択されたボタン以外の他のボタンに設定されている場合、その旨を報知する制御装置１０４と、を備える。これにより、ユーザは、選択した機能と抵触する機能が、選択したボタン以外の他のボタンに設定されていることを認識できるので、ボタンの機能の設定を効率的に行うことができる。
【００３４】
（２）上記（１）のデジタルカメラ１００において、制御装置１０４は、ユーザにより選択された機能と抵触する機能が設定されている他のボタンのリスト（抵触リスト３３１）を背面モニタ１０７に表示させるように構成した。これにより、ユーザは、選択した機能と抵触する機能が設定されている他のボタンを認識できるので、ボタンの機能の設定を効率的に行うことができる。
【００３５】
（変形例１）
上述した第１および第２の実施の形態では、ユーザにより選択された機能または当該機能と抵触する機能が、ユーザにより選択されたボタン以外の他のボタンに設定されていた場合、そのボタンのリストを示す重複リスト３２１または抵触リスト３３１を表示する例について説明した。しかしながら、制御装置１０４は、例えば、図２〜図４に示したようなデジタルカメラ１００の正面図、背面図および上面図を背面モニタ１０７に表示させ、選択された機能または当該機能と抵触する機能が設定されている他のボタンの位置を示すようにしてもよい。この場合、当該他のボタンを赤く点滅させるなどして強調表示すればよい。
【００３６】
（変形例２）
上述した第２の実施の形態では、互いに抵触する機能についてはいずれか一方のみ第１ボタン２０１〜第７ボタン２０７に設定できる例について説明したが、互いに抵触する機能についても両方第１ボタン２０１〜第７ボタン２０７に設定できるようにしてもよい。この場合、抵触リスト画面３３０にもボタンの機能を確定するための「確定」メニューを表示させる。このときユーザは、例えば、他のボタンに「ＡＦ−ロック」機能が設定されているが、抵触する「ＡＦ−ＯＮ」機能を選択したボタンに設定したい場合には、マルチセレクタ２１２の操作により「確定」メニューを選択すればよい。
【００３７】
（変形例３）
上述した第１および第２の実施の形態では、第１ボタン２０１〜第７ボタン２０７について機能を設定できる例について説明したが、この他の操作部材についても機能を設定できるようにしてもよい。また、設定できる機能についても上述した機能に限らなくてよい。
【００３８】
（変形例４）
上述した第１および第２の実施の形態では、デジタルカメラに本発明を適用する例について説明した。しかしながら、例えばデジタルカメラを有する携帯端末などの電子機器にも本発明を適用してもよい。この場合、カメラ固有の機能に限らず、例えば通信機能など他の機能を操作部材に設定する際に本発明を適用してもよい。さらに、この他、デジタルカメラを有さない電子機器においても、本発明を適用してもよい。
【００３９】
以上の説明はあくまで一例であり、上記の実施形態の構成に何ら限定されるものではない。また、上記実施形態に各変形例の構成を適宜組み合わせてもかまわない。
【符号の説明】
【００４０】
１００…デジタルカメラ、１０４…制御装置、１０７…背面モニタ、２０１…第１ボタン、２０２…第２ボタン、２０３…第３ボタン、２０４…第４ボタン、２０５…第５ボタン、２０６…第６ボタン、２１２…マルチセレクタ
【図１】
2013200364.tif 000003
【図２】
2013200364.tif 000004
【図３】
2013200364.tif 000005
【図４】
2013200364.tif 000006
【図５】
2013200364.tif 000007
【図６】
2013200364.tif 000008
【図７】
2013200364.tif 000009
【図８】
2013200364.tif 000010